(57)【要約】【課題】  ナビゲーション機能が車内だけでなく車外でも利用できる電子システムおよび前記電子システムにおける電子装置を提供する。【解決手段】  デジタル放送受信装置１は、固定ユニット２と、固定ユニット２に着脱可能な携帯ユニット３とを備え、固定ユニット２は、前記携帯ユニット３からの指令を受信する無線ＩＦ１５と、無線ＩＦ１５から与えられる指令に応答して、固定ユニット２を制御する第１ＣＰＵ１４と、音量などを表示する操作表示部１８を有し、携帯ユニット３は、ディスプレイ操作部３５と、ディスプレイ操作部３５から入力される指令を固定ユニット２に送信する第２ＩＦ３０と、地図情報および位置情報に基づいた情報をディスプレイ操作部３５に表示させる第２ＣＰＵ３２とを備える。【選択図】      図１
2008104213.tif 000002
【特許請求の範囲】
【請求項１】
移動体に搭載され、オーディオ機能を有する電子装置と、当該電子装置に着脱可能で、かつナビゲーション機能を有する携帯ナビゲーション装置とを備え、
前記電子装置は、
前記携帯ナビゲーション装置からの指令を無線受信する第１通信手段と、
該第１通信手段から与えられる指令に応答して、電子装置を制御する第１制御手段と、
第１制御手段による制御状態を表示する第１表示手段とを有し、
前記携帯ナビゲーション装置は、
操作者による指令入力用の操作手段と、
各種情報表示用の第２表示手段と、
前記操作手段から入力される指令を前記電子装置に無線送信する第２通信手段と、
地図情報および位置情報に基づいた情報を前記表示手段に表示させる第２制御手段とを有することを特徴とする電子システム。
【請求項２】
ナビゲーション機能を有する携帯ナビゲーション装置が脱可能であり、移動体に搭載され、オーディオ機能を有する電子装置であって、
前記携帯ナビゲーション装置からの指令を無線受信する通信手段と、
該通信手段から与えられる指令に応答して、電子装置を制御する制御手段と、
制御手段による制御状態を表示する表示手段とを有することを特徴とする電子装置。
【発明の詳細な説明】
【技術分野】
【０００１】
本発明は、自動車などの移動体に搭載される電子システムおよび電子装置に関する。
【背景技術】
【０００２】
地上デジタル音声放送は、音声情報だけが送信される従来のアナログ放送とは異なり、高品質な音声情報に加えて、文字データおよび画像データによる多彩なマルチメディア情報を送信することができ、２００３年前半に東京都と大阪府とにおいて試験放送を開始する予定となっている。
【０００３】
このようなマルチメディア情報を放送する技術として、特許文献１に、放送チャンネルを通して放送されるマルチメディアデータ用放送プログラムを引き出すマルチメディアデータ放送プログラム作成方法が開示されている。このマルチメディアデータ放送プログラム作成方法は、まず画像および文章ファイルなどのマルチメディアオブジェクトを含むデータベースを構築する。各マルチメディアオブジェクトには、データベースにおけるマルチメディアオブジェクトの検索を行うために用いられる説明文が添付されている。次にデータベースにおいて選択されたマルチメディアオブジェクトのリストと、各オブジェクトに付随する送信日時などの送信判断基準を含む放送プログラムとをデータベースから引き出す。その放送プログラムを送信する可能性を判断する送信判断基準は、設定される送信日時と放送プログラムに依存するイベントとであって、このような基準に基いてマルチメディアオブジェクトの放送を行う。
【０００４】
また特許文献２には、車両の地理的位置および日時に応じてマルチメディアアニメーションを自動放送するマルチメディア情報機器が開示されている。この情報機器は、旅行代理店に設置される固定情報ステーションと、車両に搭載される車載情報ステーションとから構成される。前記２つのステーションは、フロッピディスクに情報を記憶し、記憶される情報を読取るフロッピディスクドライブ、または旅行パラメータを送受信する無線送受信機を有する伝送装置を備える。さらに車載情報ステーションは、旅程などの情報を含むマルチメディアアニメーションが記憶される放送用旅行パラメータストック装置、およびＧＰＳと呼ばれる汎地球測位システムを有する測位装置を備える。車載情報ステーションは、フロッピディスクに記憶される、または固定情報ステーションから送信される車両の位置および日時を含む旅行パラメータと、測位装置による車両の現在位置の地理データとに応じて、ストック装置に収録されるマルチメディアアニメーションを放送する。
【０００５】
地上デジタル放送は、屋内において固定される受信機だけでなく、自動車などの移動体に搭載される受信機によって受信することが可能であり、情報の一部を任意の場所で視聴できる受信機が望まれている。
【０００６】
特許文献３には、操作ユニット自体でラジオ放送を聞くことができるラジオ内蔵形盗難防止装置付電子機器が開示されている。この電子機器は、自動車に固定されて搭載される本体に着脱自在に装着される操作ユニットを備えている。この操作ユニットは、アンテナからの電波を受信するチューナと、チューナの受信電波から希望の局を選局するための制御を行うＰＬＬ内蔵マイクロコンピュータと、操作ユニットが本体から取り外されたときにチューナおよびマイクロコンピュータに電源を供給する電池とを有する。この操作ユニットが本体から取り外された状態において、チューナによって受信された電波に含まれるオーディオ信号が、操作ユニットに設けられるアンプを介して、操作ユニットに接続されるヘッドホンに与えられるので、操作ユニットをヘッドホンラジオとして用いることができる。
【０００７】
【特許文献１】特開平１１−３１７７１１号公報
【特許文献２】特表２０００−５０２７９５号公報
【特許文献３】特開平７−１５３６０号公報
【発明の開示】
【発明が解決しようとする課題】
【０００８】
自動車に搭載される車載用デジタル放送受信装置は、車内に固定されるので、デジタル放送に含まれる文字データなどのマルチメディア情報を、車外で閲覧することができない。また車載用デジタル放送受信装置自体を自動車に着脱可能に搭載できる構成とすると、装置自体が大きく、容易に携帯することができない。
【０００９】
したがって本発明の目的は、デジタル放送に含まれるマルチメディア情報を表示するユニットを容易に携帯できるようにして、自動車などの移動体に搭載し、前記ユニットが車内だけでなく車外でもマルチメディア情報を表示することによって、マルチメディア情報を有効活用することができるとともに、操作性の良い電子システムおよび前記電子システムにおける電子装置を提供することである。
【課題を解決するための手段】
【００１０】
本発明（１）は、移動体に搭載され、オーディオ機能を有する電子装置と、当該電子装置に着脱可能で、かつナビゲーション機能を有する携帯ナビゲーション装置とを備え、
前記電子装置は、
前記携帯ナビゲーション装置からの指令を無線受信する第１通信手段と、
該第１通信手段から与えられる指令に応答して、電子装置を制御する第１制御手段と、
第１制御手段による制御状態を表示する第１表示手段とを有し、
前記携帯ナビゲーション装置は、
操作者による指令入力用の操作手段と、
各種情報表示用の第２表示手段と、
前記操作手段から入力される指令を前記電子装置に無線送信する第２通信手段と、
地図情報および位置情報に基づいた情報を前記表示手段に表示させる第２制御手段とを有することを特徴とする電子システムである。
【００１１】
本発明（２）は、ナビゲーション機能を有する携帯ナビゲーション装置が脱可能であり、移動体に搭載され、オーディオ機能を有する電子装置であって、
前記携帯ナビゲーション装置からの指令を無線受信する通信手段と、
該通信手段から与えられる指令に応答して、電子装置を制御する制御手段と、
制御手段による制御状態を表示する表示手段とを有することを特徴とする電子装置である。
【発明の効果】
【００１２】
以上のように本発明によれば、携帯ナビゲーション装置を電子装置から離脱させた移動体の外においても、携帯ナビゲーション装置はナビゲーションを行うことができる。またまた携帯ナビゲーション装置の電子機器に対する着脱状態にかかわらず、互いに無線通信を行うことができ、携帯ナビゲーション装置の操作手段からの指令に応じて、電子装置を制御することができる。また電子装置の制御手段の制御状態を、電子装置に設けられる表示手段に表示することができる。
【発明を実施するための最良の形態】
【００１３】
図１は、本発明の実施の一形態の電子システムであるデジタル放送受信装置１の構成を示すブロック図である。デジタル放送受信装置１は、自動車などの移動体に搭載され、音声情報と文字データおよび画像データなどが含まれるマルチメディア情報とが含まれる地上波デジタル音声放送（以後、単に「デジタル音声放送」と表記する）を受信して、これらの情報の再生および表示を行う。
【００１４】
デジタル音声放送において、音声情報に関してはＭＰＥＧ２  Ａｕｄｉｏ  ＡＡＣに準拠して符号化され、音声情報およびマルチメディア情報は、ＶＨＦ帯の搬送波の周波数に応じて規定されるチャンネル毎に、ＭＰＥＧ−２  Ｓｙｓｔｅｍｓに準拠してパケット単位で多重化され、直交周波数分割多重変調方式（Orthogonal Frequency Division 
Multiplexing；略称：ＯＦＤＭ）に準拠してデジタル変調されて送信される。デジタル音声放送においては、符号化された情報を複数のチャンネル毎に番組単位で放送する。
【００１５】
デジタル放送受信装置１は、自動車などの移動体に固定されて搭載され、電子装置である固定ユニット２と、固定ユニット２に着脱可能であり、携帯ナビゲーション装置である携帯ユニット３とを備える。
【００１６】
固定ユニット２は、チューナ部１０、復調デマルチプレクサ部１１、音声デコーダ部１２、音声増幅制御部１３、第１中央演算処理部（以後「第１ＣＰＵ」と略して表記する）１４、第１無線インターフェイス（以後「第１無線ＩＦ」と略して表記する）１５、第１メモリ１６、ＣＤドライブ１７および操作表示部１８を含んで構成される。
【００１７】
第１ＣＰＵ１４は、固定ユニット２を統括的に制御する。受信手段であるチューナ部１０は、自動車に搭載されるアンテナ１９を介してデジタル音声放送を受信して、操作表示部１８からのチャンネル選択指令に基いて、受信したデジタル音声放送から選択されたチャンネルに含まれるパケットを抽出して、復調デマルチプレクサ部１１に与える。復調デマルチプレクサ部１１は、第１ＣＰＵ１４からの指令に従って、チューナ部１０からのパケットを復調するとともに、符号化された音声情報を有するパケットを抽出して、音声デコーダ部１２に与え、残余の情報であるマルチメディア情報を有するパケットを第１ＣＰＵ１４に与える。
【００１８】
第１復号手段である音声デコーダ部１２は、第１ＣＰＵ１４からの指令に従って、符号化された音声情報を有するパケットを復号し、復号された音声情報を有する信号を音声増幅制御部１３に与える。第１出力手段である音声増幅制御部１３は、操作表示部１８からの音量指令に従って、復号された音声情報を有する信号を増幅して、自動車に搭載されるスピーカ４０に与えて音声出力する。
【００１９】
第１無線ＩＦ１５は、後述する携帯ユニット３の第２無線インターフェイス（以後「第２無線ＩＦ」と略して表記する）３０と無線通信を行い、情報のやり取りを行う。記録媒体読取手段であるＣＤドライブ１７は、固定ユニット２に着脱可能な記録媒体であるコンパクトディスク（略称：ＣＤ）に記録されている情報を読取って、第１ＣＰＵ１４に与える。ＣＤには、音声データが記録されている音楽ＣＤと、画像および地図情報などのデータ情報が記録されているＣＤ−ＲＯＭとがある。ＣＤドライブ１７に音楽ＣＤが装着されると、音楽ＣＤに記録されている符号化された音声データが、第１ＣＰＵ１４および音声デコーダ部１２によって復号され、さらに音声増幅制御部１３によって増幅されてスピーカ４０から出力される。
【００２０】
第１記憶手段である第１メモリ１６は、ランダムアクセスメモリ（略称：ＲＡＭ）で実現され、受信したデジタル音声放送に含まれている情報、ＣＤドライブ１７によって読取られた情報、および後述する携帯ユニット３からの情報を記憶する。
【００２１】
操作表示部１８は、たとえば入力装置であるボタンと第１表示手段である液晶表示装置（略称：ＬＣＤ）とによって実現され、操作者によって入力操作されると、操作者の希望するチャンネルを受信させる指令であるチャンネル選択指令、および音声情報を操作者の希望する音量で出力させる指令である音量指令などを、第１ＣＰＵ１４に与える。また操作表示部１８は、受信しているデジタル音声放送のチャンネル番号および音量などの制御状態を表示する。固定ユニット２は、デジタル放送受信装置１を搭載する自動車の車両電源から電流を供給されて動作する。
【００２２】
携帯ユニット３は、第２無線ＩＦ３０、汎地球測位システム（以後「ＧＰＳ」と略して表記する）３１、第２中央演算処理部（以後「第２ＣＰＵ」と略して表記する）３２、第２メモリ３３、画像表示制御部（以後「ＧＤＣ」と略して表記する）３４、ディスプレイ操作部３５およびバッテリー電源３６を含んで構成される。
【００２３】
第２復号手段およびナビゲーション手段である第２ＣＰＵ３２は、携帯ユニット３の統括的な制御、固定ユニット２からの符号化されたマルチメディア情報の復号、および後述する地図情報と交通情報と位置情報とに基くナビゲーションを行う。
【００２４】
第２通信手段である第２無線ＩＦ３０は、固定ユニット２の第１無線ＩＦ１５と無線通信を行い、情報のやり取りを行う。位置算出手段であるＧＰＳ３１は、複数の位置情報衛星であるＧＰＳ衛星から送信されるＧＰＳ衛星の固有識別子、軌道および時刻を含む位置基準情報を受信し、この位置基準情報に基いて、携帯ユニット３の現在位置に関する位置情報を算出して、第２ＣＰＵ３２に与える。
【００２５】
第２記憶手段である第２メモリ３３は、ＲＡＭで実現され、受信したデジタル音声放送に含まれるマルチメディア情報、およびＣＤドライブ１７によって読取られた情報を含む固定ユニット２からの情報を記憶する。ＧＤＣ３４は、第２ＣＰＵ３２への負荷を軽減するために、後述するディスプレイ操作部３５の画像表示制御を行う。
【００２６】
操作手段および第２表示手段であるディスプレイ操作部３５は、たとえばＬＣＤとタッチパネルとによって実現され、マルチメディア情報、固定ユニット２のＣＤドライブ１７によって読取られた情報、第１および第２メモリ１６，３３に記憶される情報およびＧＰＳ３１からの位置情報を表示する。またディスプレイ操作部３５は、操作者によって操作されて、操作者からの各種指令を第２ＣＰＵ３２に与える。バッテリー電源３６は、携帯ユニット３に電流を供給し、携帯ユニット３が、固定ユニット２に装着、または専用の充電器に接続されることによって充電される。
【００２７】
第１および第２無線ＩＦ１５，３０は、携帯ユニット３の固定ユニット２に対する着脱状態に係らず、互いに無線通信を行う。第１および第２無線ＩＦ１５，３０は、通信周波数２．４ＧＨｚ、データ転送速度５１２ｋｂｐｓ程度またはそれ以上、伝送距離５ｍ程度であることが望ましい。固定ユニット２と携帯ユニット３との通信を、コネクタなどによって電気的に接続する場合には、携帯ユニット３を着脱することによるコネクタの劣化、およびデジタル放送受信装置１は自動車に搭載されるので、自動車の走行に伴って生じる振動に起因するコネクタの劣化などによって、固定ユニット２と携帯ユニット３との通信が正常に行われないことが考えられるが、固定ユニット２と携帯ユニット３との通信を無線通信とすることによって、このような問題を解決することができる。
【００２８】
本実施の形態のデジタル放送受信装置１における、デジタル音声放送を受信する動作を以下に述べる。携帯ユニット３が固定ユニット２に装着されているとする。操作者によって操作表示部１８が操作されて、操作者の所望するチャンネルが入力されると、操作表示部１８は、第１ＣＰＵ１４を介して、チャンネル選択指令をチューナ部１０に与える。アンテナ１９を介して受信されたデジタル音声放送は、チューナ部１０によって、操作者の所望するチャンネルに含まれるパケットだけが抽出されて、復調デマルチプレクサ部１１に与えられる。
【００２９】
その後、デジタル音声放送は、復調デマルチプレクサ部１１によって、音声情報を有するパケットとマルチメディア情報を有するパケットとに分離される。符号化されている音声情報は、音声デコーダ部１２に与えられて復号され、さらに音声増幅制御部１３に与えられて増幅されて、自動車に搭載されるスピーカ４０から出力される。
【００３０】
復調デマルチプレクサ部１１によって分離されたデジタル音声信号に含まれるマルチメディア情報は、第１ＣＰＵ１４を介して、第１メモリ１６に記憶されるとともに、第１無線ＩＦ１５を介して、携帯ユニット３の第２無線ＩＦ３０に送信される。携帯ユニット３に送信されたマルチメディア情報は、第２ＣＰＵ３２によって復号され、第２メモリ３３に記憶されるとともに、ＧＤＣ３４を介してディスプレイ操作部３５に表示される。また操作者によって操作表示部１８が操作されて、操作者の所望する指令が入力されると、マルチメディア情報は、入力された指令に基いて、第２ＣＰＵ３２によって加工されて、ＧＤＣ３４を介してディスプレイ操作部３５に表示される。
【００３１】
マルチメディア情報には、デジタル音声放送で放送される番組のチャンネル、放送開始予定時刻、番組放送時間および番組内容などを含む文字データである番組配列情報（
Service Information ；略称：ＳＩ）が含まれる。ＳＩは、他のマルチメディア情報とともに、固定ユニット２の第１メモリ１６に記憶され、携帯ユニット３に送信される。携帯ユニット３に送信されたＳＩは、第２メモリ３３に記憶され、第２ＣＰＵ３２によって加工されて、電子番組案内（Electronic Program Guide；略称：ＥＰＧ）が作成され、ディスプレイ操作部３５に表示される。ＥＰＧは、たとえば新聞のテレビ欄のように、各番組が、列方向にチャンネル毎に、行方向に時間毎に並ぶ表となって表示される。デジタル音声放送に含まれるＳＩは、定期的に受信されて、第１および第２メモリ１６，３３に記憶されているＳＩと比較され、適宜最新の情報に更新されて記憶される。
【００３２】
操作者がディスプレイ操作部３５に表示されているＥＰＧを閲覧して、さらに操作者が所望する内容が表示されるように、ディスプレイ操作部３５を操作して入力すると、第２ＣＰＵ３２は、ディスプレイ操作部３５からの入力指令に基いて、ＥＰＧを操作者の所望の内容、たとえば、ニュース、スポーツなどのジャンル別のＥＰＧに加工して、さらに必要に応じて静止画も付加してディスプレイ操作部３５に表示する。
【００３３】
操作者がディスプレイ操作部３５に表示されているＥＰＧを閲覧して、ディスプレイ操作部３５を操作して、現時刻に放送されている番組を選択すると、チャンネル選択指令が、第２ＣＰＵ３２および第２無線ＩＦ３０を介して、固定ユニット２の第１無線ＩＦ１５に送信されて、チューナ部１０に与えられて、スピーカ４０から選択された番組の音声が出力されるとともに、その番組に含まれるマルチメディア情報がディスプレイ操作部３５に表示される。
【００３４】
また操作者がディスプレイ操作部３５に表示されているＥＰＧを閲覧して、ディスプレイ操作部３５を操作して、所望の番組を受信する予約を入力すると、第２ＣＰＵ３２は、ＳＩに基いて、予約したい番組が放送されるチャンネル、放送日、放送開始時刻および放送終了時刻を含む番組予約情報を作成して、第２メモリ３３に記憶する。前記番組予約情報は第２無線ＩＦ３０を介して、固定ユニット２の第１無線ＩＦ１５に送信され、固定ユニット２の第１メモリ１６に記憶される。
【００３５】
固定ユニット２の第１ＣＰＵ１４は、第１メモリ１６に記憶されている番組予約情報に基いて、番組開始時刻になると、チューナ部１０にチャンネル選択指令を与えて、アンテナ１９を介して受信したデジタル音声放送の、番組予約情報で指定されたチャンネルに含まれる信号を抽出して、復調デマルチプレクサ部１１に与える。その後、受信したデジタル音声放送に含まれる音声情報およびマルチメディア情報は、上述のようにしてスピーカ４０から出力され、ディスプレイ操作部３５に表示される。
【００３６】
このようにして、携帯ユニット３が固定ユニット２に装着されている場合のデジタル放送受信装置１において、デジタル音声放送を受信して、音声情報の出力およびマルチメディア情報の表示が行われるが、デジタル音声放送に含まれるマルチメディア情報は、携帯ユニット３のディスプレイ操作部３５に表示されるので、操作者は、携帯ユニット３を固定ユニット２から離脱して車外へ持ち出し、携帯ユニット３を携帯して、携帯ユニット３のディスプレイ操作部３５に表示されるマルチメディア情報を閲覧することができ、番組の予約を行うこともできる。マルチメディア情報は、固定ユニット２を介して、携帯ユニット３に適宜送信され、携帯ユニット３の第２メモリ３３に記憶される。
【００３７】
本実施の形態のデジタル放送受信装置１によれば、固定ユニット２は、符号化された音声情報およびマルチメディア情報が含まれるデジタル音声放送を受信するチューナ部１０と、受信したデジタル音声放送に含まれる情報を記憶する第１メモリ１６と、受信したデジタル音声放送に含まれる音声情報を復号する音声デコーダ部１２と、復号された情報を出力する音声増幅制御部１３と、受信したデジタル音声放送に含まれるマルチメディア情報を携帯ユニット３に送信する第１無線ＩＦ１５とを有する。これによって固定ユニット２は、受信したデジタル音声放送に含まれる音声情報を適宜記憶して復号して出力するとともに、マルチメディア情報を携帯ユニット３に送信することができる。
【００３８】
固定ユニット２に着脱可能な携帯ユニット３は、固定ユニット２から送信されるマルチメディア情報を含む情報を受信する第２無線ＩＦ３０と、固定ユニット２からの情報を記憶する第２メモリ３３と、マルチメディア情報を復号する第２ＣＰＵ３２と、復号されたマルチメディア情報を出力するディスプレイ操作部３５とを有する。これによって携帯ユニット３は、固定ユニット２に対する着脱状態に係らず、固定ユニット２からのマルチメディア情報を受信してディスプレイ操作部３５に表示するとともに、その情報を記憶することができる。このような携帯ユニット３が固定ユニット２に装着される状態におけるデジタル放送受信装置１は、受信したデジタル音声放送に含まれる全ての情報を、記憶および出力することができる。
【００３９】
受信したデジタル音声放送に含まれる情報のうち、音声情報を、固定ユニット２において復号して出力し、マルチメディア情報を、携帯ユニット３において加工して表示するので、固定ユニット２および携帯ユニット３のいずれかにおいて、受信したデジタル音声放送に含まれる情報を全て復号して出力する場合に比べて、固定ユニット２および携帯ユニット３における復号および出力にかかる処理を軽減し、表示および出力を迅速に行うことができるとともに操作性が向上する。マルチメディア情報は音声情報に比べて容量が非常に小さいので、携帯ユニット３の第２メモリ３３を容量の小さいＲＡＭで構成することができる。
【００４０】
また本実施の形態のデジタル放送受信装置１によれば、携帯ユニット３は、マルチメディア情報を表示するとともに、操作者が操作するディスプレイ操作部３５を備え、固定ユニット２は、受信したデジタル音声放送に含まれる番組配列情報を、第１メモリ１６に記憶するとともに携帯ユニット３に送信し、携帯ユニット３は、固定ユニット２からの番組配列情報を受信して、第２メモリ３３に記憶するとともにディスプレイ操作部３５に表示し、ディスプレイ操作部３５からの入力と番組配列情報とに基いて、チャンネルおよび放送開始予定時刻を含む番組予約情報を作成して第２メモリ３３に記憶するとともに、当該番組予約情報を第２無線ＩＦ３０によって固定ユニット２に送信して、固定ユニット２の第１メモリ１６に記憶させる。これによって携帯ユニット３の固定ユニット２に対する着脱状態に係らず、操作者は、ディスプレイ操作部３５に表示される番組配列情報を閲覧して、所望の番組のチャンネルおよび放送開始予定時刻をディスプレイ操作部３５に入力することで、所望の番組の予約を容易に行うことができるとともに、固定ユニット２は番組予約情報に基いて、操作者の所望の番組を受信することができる。
【００４１】
また携帯ユニット３の第２メモリ３３に番組予約情報が記憶されるので、携帯ユニット３の固定ユニット２に対する着脱状態に係らず、操作者は番組予約情報を閲覧することができる。さらに番組予約情報は、固定ユニット２および携帯ユニット３の第１および第２メモリ１６，３３にそれぞれ記憶されるので、万一、固定ユニット２の第１メモリ１６に記憶されている番組予約情報が、何らかの要因で消去されても、固定ユニット２は、携帯ユニット３の第２メモリ３３に記憶されている番組予約情報に基いて、操作者の所望の番組を受信することができる。また万一、携帯ユニット３の第２メモリ３３に記憶されている番組予約情報が、何らかの要因で消去されても、携帯ユニット３は、固定ユニット２の第１メモリ１６に記憶されている番組予約情報を、ディスプレイ操作部３５に表示することができる。
【００４２】
本実施の形態のデジタル放送受信装置１における、ナビゲーションについての動作を以下に述べる。デジタル音声放送のマルチメディア情報には、デジタル放送受信装置１を搭載する自動車の周辺の交通路の状況を示す交通情報が含まれる。また固定ユニット２のＣＤドライブ１７に、地図情報が記録されているＣＤ−ＲＯＭが装着されると、ＣＤドライブ１７は、前記ＣＤ−ＲＯＭを読取って、地図情報を第１メモリ１６に記憶するとともに、第１無線ＩＦ１５を介して携帯ユニット３に送信される。固定ユニット２から送信された地図情報は、携帯ユニット３の第２無線ＩＦ３０によって受信されて、第２メモリ３３に記憶される。
【００４３】
ＧＰＳ３１は、複数のＧＰＳ衛星から送信されるＧＰＳ衛星の固有識別子、軌道および時刻を含む位置基準情報を受信し、この位置基準情報に基いて、携帯ユニット３の現在位置に関する位置情報を算出する。
【００４４】
第２ＣＰＵ３２は、地図情報および位置情報に基いて、地図に携帯ユニット３の現在位置を重ね合わせてディスプレイ操作部３５に表示する現在位置表示機能と、地図情報、交通情報、操作者によってディスプレイ操作部３５に入力された出発地および目的地に基いて、出発地から目的地までの経路探索を行い、地図に探索された経路を重ね合わせてディスプレイ操作部３５に表示する経路探索機能とを実行して、ナビゲーションを行う。またこのとき、固定ユニット２の第１ＣＰＵ１４は、地図情報、交通情報および位置情報に基いて、音声合成を行って、音声増幅制御部１３およびスピーカ４０を介して、音声によるナビゲーションを行ってもよい。
【００４５】
また携帯ユニット３には、ＧＰＳ３１が備えられ、携帯ユニット３の第２メモリ３３には、ＣＤ−ＲＯＭに記録されている地図情報が記憶されるので、携帯ユニット３を固定ユニット２から離脱させた車外においても、携帯ユニット３はナビゲーションを行うことができる。
【００４６】
本実施の形態のデジタル放送受信装置１によれば、固定ユニット２は、当該固定ユニット２に着脱可能なＣＤ−ＲＯＭに記録される情報を読取るＣＤドライブ１７を有し、携帯ユニット３は、ＧＰＳ衛星からの位置基準情報を受信し、位置基準情報に基いて携帯ユニット３の現在位置に関する位置情報を算出するＧＰＳ３１と、地図情報および位置情報に基いて、地図および現在位置をディスプレイ操作部３５に表示する現在位置表示機能、ならびに地図情報、交通情報、入力された出発地および目的地に基いて、出発地から目的地までの経路探索を行い、地図および探索された経路をディスプレイ操作部３５に表示する経路探索機能を実行する第２ＣＰＵ３２とを有し、固定ユニット２は、ＣＤ−ＲＯＭに記録されているＣＤドライブ１７によって読取られた地図情報と、受信したデジタル音声放送に含まれる交通情報とを携帯ユニット３に送信し、携帯ユニット３は、固定ユニット２からの地図情報および交通情報を受信して、地図情報を第２メモリ３３に記憶するとともに、記憶された地図情報と算出された位置情報と、ディスプレイ操作部３５に入力された出発地および目的地と、交通情報とに基いて、ナビゲーションを行う。これによって、携帯ユニット３は、携帯ユニット３の固定ユニット２に対する着脱状態に係らず、ナビゲーションを行うことができる。
【００４７】
また携帯ユニット３の第２メモリ３３に地図情報が記憶されるので、携帯ユニット３には、携帯ユニット３に着脱可能なＣＤ−ＲＯＭなどの記録媒体に記録されている情報を読取るＣＤドライブなどの記録媒体読取手段を備える必要がなく、携帯ユニット３の構成を簡素にするとともに、小形化および軽量化を図ることができる。さらに携帯ユニット３の第２メモリ３３に地図情報が記憶されるので、固定ユニット２のＣＤドライブ１７から地図情報が記録されているＣＤ−ＲＯＭを離脱させても、携帯ユニット３は、ナビゲーションを行うことができ、これによって固定ユニット２のＣＤドライブ１７に、他の情報が記録されているＣＤ−ＲＯＭおよび音楽ＣＤを装着して、その情報を読取ることができる。
【００４８】
このように本実施の形態のデジタル放送受信装置１において、携帯ユニット３は、上述のような第２ＣＰＵ３２、第２メモリ３３、ＧＰＳ３１およびディスプレイ操作部３５を備えるので、携帯ユニット３を固定ユニット２から離脱させても、携帯ユニット３は、デジタル音声放送に含まれるマルチメディア情報を表示することができるだけでなく、マルチメディア情報に含まれるＳＩに基いてＥＰＧを作成して表示し、操作者の入力に基いて番組の予約をすることができ、さらに、マルチメディア情報に含まれる交通情報と、ＧＰＳ３１による位置情報と、第２メモリ３３に記憶される地図情報とに基いて、ナビゲーションを行うことができる。
【００４９】
本実施の形態のデジタル放送受信装置１において、地上波デジタル音声放送を受信するとしたが、動画および静止画を含む画像情報、音声情報ならびにマルチメディア情報を含む地上波デジタル放送を受信して、この地上波デジタル放送に含まれる音声情報およびマルチメディア情報を出力および表示するようにしてもよい。
【００５０】
また本実施の形態のデジタル放送受信装置１において、固定ユニット２と携帯ユニット３との通信は、無線によって行われるとしたが、固定ユニット２と携帯ユニット３とをコネクタによって接続して、通信するようにしてもよい。
【００５１】
また本実施の形態のデジタル放送受信装置１において、音声情報は固定ユニット２の第１メモリ１６に記憶されるとしたが、受信したデジタル音声放送に含まれる全ての音声情報を記憶する必要は無く、操作者の所望の部分だけを記憶させるようにしてもよい。
【００５２】
また本実施の形態のデジタル放送受信装置１において、固定ユニット２に搭載される記録媒体読取手段は、ＣＤ−ＲＯＭおよび音楽ＣＤを読取るＣＤドライブ１７としたが、デジタルバーサタイルディスク（略称：ＤＶＤ）を読取るＤＶＤドライブ、ＣＤとＤＶＤとを読取可能なマルチドライブ、および光磁気ディスク（略称：ＭＯ）を読取るＭＯドライブでもよく、さらには、固定ユニット２に着脱可能な、リードオンリーメモリ（略称：ＲＯＭ）を有するメモリカードを読取る装置でもよい。
【００５３】
本発明は、以下の実施の形態が可能である。
（１）固定ユニットと、当該固定ユニットに着脱可能な携帯ユニットとを備え、
前記固定ユニットは、符号化された複数種類の情報が含まれるデジタル放送を受信する受信手段と、受信したデジタル放送に含まれる情報を記憶する第１記憶手段と、受信したデジタル放送に含まれる特定の種類の情報を復号する第１復号手段と、復号された情報を出力する第１出力手段と、受信したデジタル放送に含まれる残余の種類の情報を前記携帯ユニットに送信する第１通信手段とを有し、
前記携帯ユニットは、固定ユニットから送信される情報を受信する第２通信手段と、固定ユニットからの情報を記憶する第２記憶手段と、前記情報を復号する第２復号手段と、復号された情報を出力する第２出力手段とを有することを特徴とするデジタル放送受信装置。
【００５４】
デジタル放送は、固定ユニットの受信手段によって受信され、デジタル放送に含まれる情報が第１記憶手段に記憶され、デジタル放送に含まれる特定の種類の情報が第１復号手段によって複号され、復号された情報は第１出力手段によって出力される。またデジタル放送に含まれる残余の種類の情報は、第１通信手段によって、固定ユニットに着脱可能な携帯ユニットに送信される。固定ユニットから送信される情報は、携帯ユニットの第２通信手段によって受信され、第２記憶手段に記憶され、第２復号手段によって複号される。復号された情報は、第２出力手段によって出力される。
【００５５】
このように携帯ユニットは、固定ユニットに対する着脱状態に係らず、固定ユニットからの残余の種類の情報を受信して出力するとともに、その情報を記憶することができる。このような携帯ユニットが固定ユニットに装着される状態におけるデジタル放送受信装置は、受信したデジタル放送に含まれる全ての情報を、記憶および出力することができる。
【００５６】
受信したデジタル放送に含まれる情報のうち、特定の種類の情報を、固定ユニットにおいて復号して出力し、残余の情報を、携帯ユニットにおいて復号して出力するので、固定ユニットおよび携帯ユニットのいずれかにおいて、受信したデジタル放送に含まれる情報を全て復号して出力する場合に比べて、固定ユニットおよび携帯ユニットにおける復号および出力にかかる処理を軽減し、復号および出力を迅速に行うことができるとともに操作性が向上する。
【００５７】
（２）前記デジタル放送は、符号化された情報を複数のチャンネル毎に番組単位で放送するとともに、放送される番組のチャンネル、放送開始予定時刻および番組内容を含む番組配列情報を含み、
前記携帯ユニットは、操作者が操作する入力手段を備えるとともに、前記第２出力手段は表示機能を有しており、
前記固定ユニットは、受信した番組配列情報を第１番組配列情報記憶手段に記憶するとともに前記携帯ユニットに送信し、
前記携帯ユニットは、前記固定ユニットからの番組配列情報を受信して、第２番組配列情報記憶手段に記憶するとともに第２出力手段に表示し、入力手段からの入力と番組配列情報とに基いて、チャンネルおよび放送開始予定時刻を含む番組予約情報を作成して第２番組予約情報記憶手段に記憶するとともに、当該番組予約情報を第２通信手段によって固定ユニットに送信して、固定ユニットの第１番組予約情報記憶手段に記憶させることを特徴とするデジタル放送受信装置。
【００５８】
デジタル放送に含まれる番組配列情報は、固定ユニットの第１番組配列情報記憶手段に記憶されるとともに携帯ユニットに送信される。送信された番組配列情報は、携帯ユニットに受信され、第２番組配列情報記憶手段に記憶されるとともに第２出力手段の表示機能によって表示される。携帯ユニットにおいて、入力手段からの入力と番組配列情報とに基いて作成される、チャンネルおよび放送開始予定時刻を含む番組予約情報は、第２番組予約情報記憶手段に記憶されるとともに、第２通信手段によって固定ユニットに送信されて、固定ユニットの第１番組予約情報記憶手段に記憶される。
【００５９】
このように携帯ユニットの固定ユニットに対する着脱状態に係らず、操作者は、第２出力手段に表示される番組配列情報を閲覧して、所望の番組のチャンネルおよび放送開始予定時刻を入力手段に入力することで、所望の番組の予約を容易に行うことができるとともに、固定ユニットは番組予約情報に基いて、操作者の所望の番組を受信することができる。
【００６０】
また携帯ユニットの第２番組予約情報記憶手段に番組予約情報が記憶されるので、携帯ユニットの固定ユニットに対する着脱状態に係らず、操作者は番組予約情報を閲覧することができる。さらに番組予約情報は、固定ユニットおよび携帯ユニットの各記憶手段にそれぞれ記憶されるので、万一、固定ユニットの第１番組予約情報記憶手段に記憶されている番組予約情報が、何らかの要因で消去されても、固定ユニットは、携帯ユニットの第２番組予約情報記憶手段に記憶されている番組予約情報に基いて、操作者の所望の番組を受信することができる。また万一、携帯ユニットの第２番組予約情報記憶手段に記憶されている番組予約情報が、何らかの要因で消去されても、携帯ユニットは、固定ユニットの第１番組予約情報記憶手段に記憶されている番組予約情報を、第２出力手段に表示することができる。
【００６１】
（３）前記デジタル放送は、交通路の状況を示す交通情報を含み、
前記固定ユニットは、当該固定ユニットに着脱可能な記録媒体に記録されている情報を読取る記録媒体読取手段を有し、
前記携帯ユニットは、位置情報衛星からの位置基準情報を受信し、位置基準情報に基いて携帯ユニットの現在位置に関する位置情報を算出する位置算出手段と、地図情報および位置情報に基いて、地図および現在位置を第２出力手段に表示する現在位置表示機能、ならびに地図情報、交通情報、入力された出発地および目的地に基いて、出発地から目的地までの経路探索を行い、地図および探索された経路を第２出力手段に表示する経路探索機能を実行するナビゲーション手段とを有し、
前記固定ユニットは、地図情報が記録されている記録媒体から記録媒体読取手段によって読取った地図情報と、受信した交通情報とを前記携帯ユニットに送信し、
前記携帯ユニットは、固定ユニットからの地図情報および交通情報を受信して、前記地図情報を第２記憶手段に記憶するとともに、記憶された地図情報と算出された位置情報と入力手段に入力された出発地および目的地と交通情報とに基いて、ナビゲーション手段を機能させることを特徴とするデジタル放送受信装置。
【００６２】
固定ユニットに着脱可能な記録媒体に記録されている地図情報は、記録媒体読取手段によって読取られ、固定ユニットによって受信されるデジタル放送に含まれる交通情報とともに携帯ユニットに送信される。送信された地図情報および交通情報は、携帯ユニットに受信されて、地図情報は第２記憶手段に記憶される。携帯ユニットのナビゲーション手段は、携帯ユニットに設けられる位置算出手段によって算出された位置情報と、第２記憶手段に記憶される地図情報とに基いて、地図および現在位置を第２出力手段に表示する。またナビゲーション手段は、地図情報、交通情報、入力された出発地および目的地に基いて、出発地から目的地までの経路探索を行い、地図および探索された経路を第２出力手段に表示する。このように携帯ユニットは、携帯ユニットの固定ユニットに対する着脱状態に係らず、ナビゲーション手段を機能させることができる。
【００６３】
また携帯ユニットの第２記憶手段に地図情報が記憶されるので、携帯ユニットには、携帯ユニットに着脱可能な記録媒体に記録されている情報を読取る記録媒体読取手段を備える必要がなく、携帯ユニットの構成を簡素にするとともに、小形化および軽量化を図ることができる。さらに携帯ユニットの第２記憶手段に地図情報が記憶されるので、固定ユニットの記録媒体読取手段から地図情報が記録されている記録媒体が離脱しても、携帯ユニットは、ナビゲーション手段を機能させることができ、これによって固定ユニットの記録媒体読取手段に、他の情報が記録されている記録媒体を装着して、その情報を読取ることができる。
【００６４】
（４）携帯ユニットが着脱可能なデジタル放送受信装置の固定ユニットであって、  符号化された複数種類の情報が含まれるデジタル放送を受信する受信手段と、  受信したデジタル放送に含まれる情報を記憶する記憶手段と、  受信したデジタル放送に含まれる特定の種類の情報を復号する復号手段と、  復号された情報を出力する出力手段と、  受信したデジタル放送に含まれる残余の種類の情報を前記携帯ユニットに送信する通信手段とを有することを特徴とするデジタル放送受信装置の固定ユニット。
【００６５】
（７）符号化された複数種類の情報が含まれるデジタル放送を受信する受信手段と、受信したデジタル放送に含まれる情報を記憶する第１記憶手段と、受信したデジタル放送に含まれる特定の種類の情報を復号する第１復号手段と、復号された情報を出力する第１出力手段と、受信したデジタル放送に含まれる残余の種類の情報を前記携帯ユニットに送信する第１通信手段とを有する固定ユニットに、着脱可能なデジタル放送受信機の携帯ユニットであって、  固定ユニットから送信される情報を受信する第２通信手段と、  固定ユニットからの情報を記憶する第２記憶手段と、  前記情報を復号する第２復号手段と、  復号された情報を出力する第２出力手段とを有することを特徴とするデジタル放送受信装置の携帯ユニット。
【図面の簡単な説明】
【００６６】
【図１】本発明の実施の一形態であるデジタル放送受信装置１の構成を示すブロック図である。
【符号の説明】
【００６７】
１  デジタル放送受信装置
２  固定ユニット
３  携帯ユニット
１０  チューナ部
１２  音声デコーダ部
１３  音声増幅制御部
１５  第１無線インターフェイス
１６  第１メモリ
１７  ＣＤドライブ
３０  第２無線インターフェイス
３１  汎地球測位システム
３２  第２中央演算処理部
３３  第２メモリ
３５  ディスプレイ操作部
【図１】
2008104213.tif 000003